(57)【特許請求の範囲】
【請求項１】
排水筒本体の内周に設けられた雌ねじに、前記排水筒本体とで排水筒を構成する排水孔本体の外周に設けられた雄ねじを螺合させて前記排水筒本体と前記排水孔本体とで水槽の底の一部を挟持し、前記排水筒の排水口を開閉する排水栓を上下動させるピンが取り付けられたインナワイヤを内蔵したアウタワイヤの端を、前記排水口の中心に支持する支持体を前記排水筒内に取り付けた排水栓装置において、
前記排水孔本体の内周の下側に複数の係止部を設け、
前記支持体に、前記係止部に対応する複数の係合爪および前記排水孔本体の下端部に当接する当接部を設け、
前記排水筒本体内に前記支持体を収容させておき、前記排水筒本体の雌ねじに前記排水孔本体の雄ねじを螺合させて前記底の一部を挟持した状態で、前記支持体を上昇させて前記複数の係合爪を対応する前記複数の係止部に係合させて前記排水孔本体に前記支持体を取り付ける、
ことを特徴とする排水栓装置。
【請求項２】
排水筒本体の内周に設けられた雌ねじに、前記排水筒本体とで排水筒を構成する排水孔本体の外周に設けられた雄ねじを螺合させて前記排水筒本体と前記排水孔本体とで水槽の底の一部を挟持し、前記排水筒の排水口を開閉する排水栓を上下動させるピンが取り付けられたインナワイヤを内蔵したアウタワイヤの端を、前記排水口の中心に支持する支持体を前記排水筒内に取り付けた排水栓装置において、
前記排水孔本体の内周の下側に略周回した係止部を設け、
前記支持体を、前記排水孔本体の下端部に当接する当接部、前記係止部に沿って移動可能に係合する複数の係合部を有し、前記排水筒本体内に前記排水口の軸方向へ移動可能に支持される支持リングと、この支持リングの間に差し渡され、前記アウタワイヤの端を支持する平面形状がＩ字状で、前記排水口の中心と直交する前記アウタワイヤの水平方向に長手方向が沿う状態で前記支持リングに取り付けられるホルダとで構成し、
前記排水筒本体内に前記支持体を収容させておき、前記排水筒本体の雌ねじに前記排水孔本体の雄ねじを螺合させて前記底の一部を挟持した状態で、前記支持体を上昇させて前記複数の係合部を前記係止部に係合させて前記排水孔本体に前記支持体を取り付ける、
ことを特徴とする排水栓装置。
【発明の詳細な説明】
【０００１】
【発明の属する技術分野】
この発明は、例えば洗面台の槽の底に取り付けられる排水栓装置に関するものである。
【０００２】
【従来の技術】
従来の上記した排水栓装置は、排水筒の排水口を開閉する排水栓を上下動させるピンが取り付けられたインナワイヤを内蔵したアウタワイヤの端を支持体に支持させ、排水筒を構成する排水筒本体内に支持体を取付ねじで固定したり、または、アウタワイヤの端をホルダに支持させ、排水筒を構成する排水孔本体にホルダを取付ねじで固定する構成とされている。
【０００３】
したがって、前者の場合は、排水筒本体内に支持体を取付ねじで固定した後、排水筒本体の雌ねじに排水孔本体の雄ねじを螺合させて排水筒本体と排水孔本体とに水槽の底の一部を挟持させることにより、排水筒を水槽に取り付けることができる。
また、後者の場合、排水孔本体内にホルダを取付ねじで固定した後、排水筒本体の雌ねじに排水孔本体の雄ねじを螺合させて排水筒本体と排水孔本体とに水槽の底の一部を挟持させることにより、排水筒を水槽に取り付けることができる。
【０００４】
【発明が解決しようとする課題】
従来の上記した両者の場合、支持体またはホルダを取付ねじで固定しなければならないので、支持体またはホルダを取り付けるのが面倒である。
そして、前者の場合、水槽の厚さは一定でないため、排水筒本体の雌ねじに排水孔本体の雄ねじを螺合させて排水筒本体を水槽に取り付けると、支持体と、排水口の止水位置とが一定しなくなるため、排水栓の止水位置から排水位置までのストロークを調整しなければ、止水と排水とを効率よく行わせることができなくなるので、支持体の高さを調整する高さ調整機構を設ける必要がある。
【０００５】
また、後者の場合、平面形状をＩ字状にしてホルダを構成して排水孔本体に取り付けると、水槽の厚さは一定でないため、ホルダの長手方向が所期した方向へ向かず、すなわち排水口の中心線と直交するアウタワイヤの水平方向へホルダの長手方向が向かないので、インナワイヤおよびアウタワイヤの直線状に戻ろうとする反力によってホルダが傾くことにより、排水栓を上下動させるピンも傾き、排水栓を排水口の中心線に沿って上下動させることができなくなるため、止水不能になる場合がある。
【０００６】
さらに、後者の場合、排水栓を傾かないように排水口の中心線方向へを移動させ、排水栓で確実に止水させるため、ピンが傾かないで排水口の中心線上を上下方向へ移動するようにアウタワイヤの端を固定するホルダを十字状に形成すると、ホルダ部分の流路を十分に確保することができなくなる。
【０００７】
この発明は、上記したような不都合を解消するためになされたもので、支持体またはホルダをワンタッチで取り付けることができ、排水栓の止水位置と排水位置とを所期の位置に調整することなく設定することができ、水槽の厚さに関係なくホルダの長手方向を排水口の中心線と直交するアウタワイヤの水平方向へ向かせることができるとともに、ホルダ部分の流路を確保することのできる排水栓装置を提供するものである。
【０００８】
【課題を解決するための手段】
この発明は、排水筒本体の内周に設けられた雌ねじに、排水筒本体とで排水筒を構成する排水孔本体の外周に設けられた雄ねじを螺合させて排水筒本体と排水孔本体とで水槽の底の一部を挟持し、排水筒の排水口を開閉する排水栓を上下動させるピンが取り付けられたインナワイヤを内蔵したアウタワイヤの端を、排水口の中心に支持する支持体を排水筒内に取り付けた排水栓装置において、排水孔本体の内周の下側に複数の係止部を設け、支持体に、係止部に対応する複数の係合爪および排水孔本体の下端部に当接する当接部を設け、排水筒本体内に支持体を収容させておき、排水筒本体の雌ねじに排水孔本体の雄ねじを螺合させて底の一部を挟持した状態で、支持体を上昇させて複数の係合爪を対応する複数の係止部に係合させて排水孔本体に支持体を取り付けたり、または、排水孔本体の内周の下側に略周回した係止部を設け、支持体を、排水孔本体の下端部に当接する当接部、係止部に沿って移動可能に係合する複数の係合部を有し、排水筒本体内に排水口の軸方向へ移動可能に支持される支持リングと、この支持リングの間に差し渡され、アウタワイヤの端を支持する平面形状がＩ字状で、排水口の中心と直交するアウタワイヤの水平方向に長手方向が沿う状態で支持リングに取り付けられるホルダとで構成し、排水筒本体内に支持体を収容させておき、排水筒本体の雌ねじに排水孔本体の雄ねじを螺合させて底の一部を挟持した状態で、支持体を上昇させて複数の係合部を係止部に係合させて排水孔本体に支持体を取り付けるものである。
【０００９】
【発明の実施の形態】
以下、この発明の実施形態を図に基づいて説明する。
図１はこの発明の一実施形態である排水栓装置を水槽に取り付けて止水状態にした説明図、図２は図１に示した排水栓装置の部分断面図、図３（ａ），（ｂ），（ｃ）は図２に示したステイリングの左半分を断面にした正面図、平面図、および図３（ｂ）のＡ−Ａ線による断面図、図４（ａ），（ｂ），（ｃ）は図２に示したホルダステイの右半分を断面にした正面図、平面図、および右半分を断面にした右側面図、図５（ａ），（ｂ）は図２に示したヘアーキャッチャの正面図および平面図、図６（ａ），（ｂ）は図２に示した排水栓の正面図および底面図、図７は操作部を操作して排水口を開放させた排水状態の説明図である。
【００１０】
これらの図において、Ｂで示す洗面台の水槽には、周壁の所定位置に操作部が取り付けられ、底ｏに排水筒が取り付けられている。
１で示すプラスチックで成形された第１スイッチケース本体は、前面が開放した有底の円筒部１ａと、この円筒部１ａに後ろ側で連通して半径方向の下側へ延びた流出円筒部１ｂとで構成されている。
そして、円筒部１ａの前面側には、円周方向へ複数の係止孔１ｈが設けられている。
【００１１】
２で示すプラスチックで成形された第２スイッチケース本体は、前面および後ろ面が開放し、第１スイッチケース本体１の円筒部１ａ内へ挿入される円筒部と、この円筒部の前端に外側へ所定の幅で設けられたフランジ部２ａとで構成されている。
そして、第２スイッチケース本体２の円筒部には、内周に雌ねじが設けられ、前側外周に円周方向へ、第１スイッチケース本体１の係止孔１ｈに係合する複数の係合爪２ｎが複数の係止孔１ｈに対応させて設けられている。
【００１２】
なお、第１スイッチケース本体１と第２スイッチケース本体２との間には、水密に封止するＯリングが配設されている。
そして、上記した第１スイッチケース本体１、第２スイッチケース本体２およびＯリングでスイッチケース本体を構成する。
【００１３】
３で示すプラスチックで成形されたスイッチケース取付筒体は、上面および下面が開放し、第２スイッチケース本体２の円筒部内へ挿入される円筒部３ａと、この円筒部３ａの前端に外側へ所定の幅で設けられたフランジ部３ｂとで構成されている。
そして、円筒部３ａには、外周に第２スイッチケース本体２の雌ねじに螺合する雄ねじが設けられている。
【００１４】
上記したスイッチケース本体およびスイッチケース取付筒体３でスイッチケースを構成する。
なお、スイッチケースの中には、伝動体であるインナワイヤ１１を収容した筒状のアウタワイヤ１２を固定するためのホルダ、プッシュ・プッシュ式のロック機構などが、オーバーフローの流路を塞がないように設けられている。
【００１５】
２１で示すプラスチックで成形された操作部として操作ボタンは、インナワイヤ１１の一端に所定の部材を介して着脱可能に取り付けられる軸部２１ａと、この軸部２１ａの前端に設けられた押圧部２１ｂと構成とされている。
２２で示すプラスチックで成形されたヘアーキャッチャは、操作ボタン２１の軸部２１ａが貫通する軸部と、この軸部の前端に、第２スイッチケース本体２の円筒部内で軸方向へ遊嵌する大きさに形成された目皿部２２ａとで構成されている。
そして、操作ボタン２１とヘアーキャッチャ２２とには、ヘアーキャッチャ２２を軸部２１ａに着脱可能に装着できる係止手段が設けられている。
【００１６】
３１で示すゴム管は、第１スイッチケース本体１の流出円筒部１ｂに一端がクリップ３２で着脱可能に取り付けられ、他端が、後述するジョイント８１にクリップ３２で着脱可能に取り付けられ、スイッチケースからの水を後述する排水筒へ供給するものである。
なお、ゴム管３１の長さは、スイッチケースを取り付ける位置と、排水筒を取り付ける位置とを考慮した長さとされている。
【００１７】
４１で示すプラスチックで成形された第１排水筒本体は、上面が開放した有底の円筒部４１ａと、この円筒部４１ａに下側で連通して半径方向へ延びた流入円筒部４１ｂと、円筒部４１ａに下側で連通して流入円筒部４１ｂと９０度離れた半径方向へ延びた流出円筒部４１ｃとで構成されている。
そして、円筒部４１ａには、上側の円周方向へ複数の係止孔４１ｈが設けられ、内側に円周方向へ、間に流入円筒部４１ｂ、流出円筒部４１ｃが位置して底から垂直に立ち上がった３つのガイド部４１ｇが設けられている。
【００１８】
なお、３つのガイド部４１ｇは、後述する第２排水筒本体４２に後述する排水孔本体４４を螺合せても、排水孔本体４４に衝合せずに、後述するステイリング５１を上下に案内できるように設けられている。
そして、流入円筒部４１ｂの先端側には、後述するジョイントナット８２の係止孔８２ｈに係合する複数の係合爪４１ｎが円周方向に設けられている。
さらに、流出円筒部４１ｃの先端の外周には、雄ねじが設けられている。
【００１９】
４２で示すプラスチックで成形された第２排水筒本体は、上面および下面が開放し、第１排水筒本体４１の円筒部４１ａ内へ挿入される円筒部４２ａと、この円筒部４２ａの上端に外側へ所定の幅で設けられたフランジ部４２ｂとで構成されている。
そして、円筒部４２ａには、内周に雌ねじが設けられ、上側の外周に円周方向へ、第１排水筒本体４１の係止孔４１ｈに係合する複数の係合爪４２ｎが複数の係止孔４１ｈに対応させて設けられている。
【００２０】
４３で示すＯリングは、第１排水筒本体４１と第２排水筒本体４２との間を水密に封止するものである。
上記した第１排水筒本体４１、第２排水筒本体４２およびＯリング４３で排水筒本体を構成する。
【００２１】
４４で示すプラスチックで成形された排水孔本体は、上面および下面が開放し、第２排水筒本体４２の円筒部４２ａ内へ挿入される円筒部４４ａと、この円筒部４４ａの上端に外側へ所定の幅で設けられたフランジ部４４ｂとで構成されている。
そして、円筒部４４ａには、外周に第２排水筒本体４２の雌ねじに螺合する雄ねじが設けられ、内周の下側に、内周面が下側へ拡開する傾斜面とされた係止部としての段部４４ｓが周回して設けられている。
さらに、円筒部４４ａの内周の上端は、外側へ拡開する傾斜面とされている。
上記した排水筒本体および排水孔本体４４で排水筒を構成する。
【００２２】
５１で示すプラスチックで成形された支持リングとしてのステイリングは、上面および下面が開放し、排水孔本体４４の段部４４ｓ内へ下側から挿入可能な円筒部５１ａと、この円筒部５１ａの下端に外側へ所定の幅で設けられ、排水孔本体４４の下端に当接する当接部としてのフランジ部５１ｂとで構成されている。
そして、円筒部５１ａには、排水孔本体４４の段部４４ｓに係合する係合部としての係合爪５１ｎが外周の円周方向へ複数突出させて設けられ、後述するホルダステイ５２を位置決めする位置決め凹部５１ｄが１８０度の位置関係で内周に２つ設けられるとともに、ホルダステイ５２の保持爪５２ｎが係合する係止孔５１ｈが位置決め凹部５１ｄ内に１８０度の位置関係で２つ設けられている。
【００２３】
また、フランジ部５１ｂには、第１排水筒本体４１のガイド部４１ｇの１つと係合する係合凹部５１ｇが縁に設けられ、平断面がＵ字状で半径方向へ延び、外側が開放してガイド部４１ｇを挟む状態で係合する係合部５１ｕが他の２つのガイド部４１ｇに対応させて下面に垂下させて設けられている。
【００２４】
５２で示すプラスチックで成形されたホルダとしてのホルダステイは、ステイリング５１の位置決め凹部５１ｄ内へ差し渡されるＩ字形状とされている。
そして、中心に上下方向へ貫通孔５２ａが設けられている。
さらに、長手方向の両端に、ステイリング５１の上端に当接する当接部５２ｂと、この当接部５２ｂとでステイリング５１の一部を保持し、係止孔５１ｈに係合する保持爪５２ｃとからなる係合部が設けられている。
【００２５】
なお、貫通孔５２ａの上側の内側に爪部分を対向させた状態に、一対の係止爪５２ｄが設けられている。
そして、ホルダステイ５２は、流路を確保するため、必要部分を除いて肉抜きされている。
さらに、上記したステイリング５１およびホルダステイ５２で支持体を構成する。
【００２６】
６１で示すプラスチックで成形されたヘアーキャッチャは、インナワイヤ１１の他端に取り付けられたピン１３などが挿入される軸部６２と、この軸部６２の上側に位置し、後述する排水栓７１の被案内羽根７４ａを案内するガイド溝６３ａが９０度の間隔で設けられた軸部６２を中心にした円形の支持部６３と、軸部６２の下側に位置し、被案内羽根７４ａの下端部を受容する貫通した溝６４ａが、ガイド溝６３ａの真下に位置させて４つ設けられた軸部６２を中心にした円形の目皿部６４とで構成されている。
【００２７】
そして、目皿部６４の外径は、排水孔本体４４の内径よりも僅かに小さくされている。
また、支持部６３の大きさは、被案内羽根７４ａの内側をガイドできればよいので、流路を確保するために極力小径であるのが望ましい。
【００２８】
７１で示す排水栓は、金属製のキャップ７２と、パッキン７３と、キャップ７２に螺合し、キャップ７２とでパッキン７３を保持するプラスチックで成形したカラー７４とで構成されている。
そして、カラー７４の下面には、同心円上に９０度の間隔で、半径方向へ延び、ヘアーキャッチャ６１のガイド溝６３ａ、溝６４ａで案内される４つの被案内羽根７４ａが設けられている。
この被案内羽根７４ａの外径は、排水孔本体４４の内径よりも僅かに小さくされている。
【００２９】
８１で示すプラスチックで成形された筒状のジョイントは、プラスチックで成形された筒状のジョイントナット８２で第１排水筒本体４１の流入円筒部４１ｂに取り付けられる。
そして、ジョイントナット８２には、流入円筒部４１ｂの係合爪４１ｎが係合する複数の係止孔８２ｈが複数の係合爪４１ｎに対応させて設けられている。
８３で示すプラスチックで成形されたサイレンサは、流入円筒部４１ｂの先端の上側に位置決めされた状態でジョイント８１によって固定される。
８４で示すＯリングは、流入円筒部４１ｂとジョイント８１との間を水密に封止するものである。
【００３０】
９１で示す取付部材は、アウタワイヤ１２の他端をホルダステイ５２の中心に取り付けるための種々の部材からなるものであり、外側の部材にホルダステイ５２の係止爪５２ｄが係合する周回した係合部９１ａが設けられている。
なお、アウタワイヤ１２の一端にも、スイッチケース本体に取り付けるため、取付部材９１と同様な取付部材が取り付けられる。
そして、各爪５１ｎ，５２ｃ，５２ｄに所定の弾性を持たせるため、周囲の一部を除いて肉抜きがされている。
【００３１】
次に、取付前のアッセンブリーの一例について説明する。
まず、両ワイヤ１１，１２の一端側にロック機構、ピン、取付部材およびホルダなどを取り付け、両ワイヤ１１，１２の他端側にピン１３および取付部材９１を取り付ける。
そして、アウタワイヤ１２の他端側およびピン１３を、例えば第２スイッチケース本体２に設けられたステイの間へ挿通し、アウタワイヤ１２の一端側に取り付けたホルダをステイに固定する。
【００３２】
さらに、アウタワイヤ１２の他端側およびピン１３を第１スイッチケース本体１の円筒部１ａから流出円筒部１ｂへと挿通した後、Ｏリングを装着した第２スイッチケース本体２の円筒部を円筒部１ａへ挿入してフランジ部２ａを円筒部１ａに当接させ、係合爪２ｎを係止孔１ｈに係合させると、スイッチケース本体を組み立てることができる。
そして、アウタワイヤ１２の他端側およびピン１３をゴム管３１に挿通してゴム管３１の一端に流出円筒部１ｂを圧入し、ゴム管３１の一端をクリップ３２で流出円筒部１ｂに固定する。
【００３３】
次に、アウタワイヤ１２の他端側、ピン１３、およびゴム管３１の他端側をもう１つのクリップ３２、ジョイントナット８２、ジョイント８１に挿通し、ジョイント８１の細径部側をゴム管３１の他端に圧入した後、ゴム管３１の他端をクリップ３２でジョイント８１に固定する。
そして、アウタワイヤ１２の他端側およびピン１３を、Ｏリング８４を装着した第１排水筒本体４１の流入円筒部４１ｂから円筒部４１ａへ挿通し、流入円筒部４１ｂの先端の上側にサイレンサ８３を位置決めした後、例えば円筒部４１ａと流入円筒部４１ｂとの中心線が形成する面が、第１スイッチケース本体１の中心線を通るようにジョイント８１の太径部側を流入円筒部４１ｂの先端に被せ、ジョイントナット８２を流入円筒部４１ｂ側へ移動させて係合爪４１ｎを係止孔８２ｈに係合させると、第１排水筒本体４１にジョイント８１、ジョイントナット８２およびサイレンサ８３を取り付けることができる。
【００３４】
次に、ステイリング５１の位置決め凹部５１ｄの間へ上側からホルダステイ５２を圧入すると、保持爪５２ｃが縮閉した後に係止孔５１ｈの位置に到達して拡開し、当接部５２ｂがステイリング５１の上端に当接するので、ホルダステイ５２を円周方向へ回動しない状態に、ステイリング５１に固定できる。
このようにステイリング５１に取り付けられたホルダステイ５２の貫通孔５２ａへ下側から、アウタワイヤ１２の他端側およびピン１３を挿通し、取付部材９１の係合部９１ａに係止爪５２ｄを係合させると、取付部材９１がホルダステイ５２に回転可能に固定され、ピン１３はステイリング５１およびホルダステイ５２の軸方向へ向いた状態になる。
【００３５】
そして、ステイリング５１を円筒部４１ａへ上側から挿入し、係合凹部５１ｇおよび係合部５１ｕを各ガイド部４１ｇに対応させて係合させた後、さらにステイリング５１を円筒部４１ａの底側へ挿入する。
次に、Ｏリング４３を装着した第２排水筒本体４２にアウタワイヤ１２の他端側およびピン１３を挿通させながら円筒部４２ａを円筒部４１ａへ挿入してフランジ部４２ｂを円筒部４１ａに当接させ、係合爪４２ｎを係止孔４１ｈに係合させると、排水筒本体を組み立てることができ、アッセンブリーが完了する。
【００３６】
次に、取付について説明する。
まず、第２排水筒本体４２のフランジ部４２ｂの上に所定のパッキンを載置してフランジ部４２ｂを、水槽Ｂの底ｏの排水筒取付孔へ下側（裏側）から当てる。
そして、水槽Ｂの排水筒取付孔へ上側（表側）から所定のパッキンを装着した排水孔本体４４を挿入した後、円筒部４２ａの内周に設けられた雌ねじに円筒部４４ａの外周に設けられた雄ねじを螺合させ、フランジ部４２ｂ，４４ｂに水槽Ｂの底ｏを挟持させると、水槽Ｂの底ｏに排水筒を取り付けることができる。
【００３７】
なお、排水筒を水槽Ｂの底ｏに取り付ける場合、第１排水筒本体４１の流入円筒部４１ｂ、ジョイント８１を、スイッチケースを取り付ける方向へ向かうように取り付けるのが望ましい。
次に、所定の治具を円筒部４４ａへ上側から挿入してステイリング５１のフランジ部５１ｂの下側に当て、治具を引き上げると、ステイリング５１がガイド部４１ｇで案内されることにより、係合爪５１ｎが縮閉した後に段部４４ｓの上に到達して拡開し、フランジ部５１ｂがステイリング５１の下端に当接するので、ステイリング５１を排水孔本体４４取り付けることができる。
【００３８】
そして、第２スイッチケース本体２のフランジ部２ａに所定のパッキンを当ててフランジ部２ａを、水槽Ｂの周壁の所定位置に設けられたスイッチ取付孔へ裏側から当てる。
さらに、水槽Ｂのスイッチ取付孔へ表側から所定のパッキンを装着したスイッチケース取付筒体３を挿入した後、第２スイッチケース本体２の円筒部の内周に設けられた雌ねじに円筒部３ａの外周に設けられた雄ねじを螺合させ、フランジ部２ａ，３ｂに水槽Ｂの周壁を挟持させると、水槽Ｂの周壁にスイッチケースを取り付けることができる。
【００３９】
次に、操作ボタン２１の軸部２１ａをヘアーキャッチャ２２の軸部に挿通してヘアーキャッチャ２２を軸部２１ａに取り付けた後、軸部２１ａをスイッチケース取付筒体３の円筒部３ａに挿入し、インナワイヤ１１の一端側に操作ボタン２１を取り付ける。
なお、操作ボタン２１を操作してロック機構をアンロック状態とし、排水栓７１が排水筒の排水口を閉塞する状態にしておくものとする。
【００４０】
そして、目皿部６４側を下にしてヘアーキャッチャ６１を、排水孔本体４４の円筒部４４ａへ挿入し、ピン１３および取付部材９１を軸部６２に挿入すると、目皿部６４が円筒部４４ａの周面で案内され、ヘアーキャッチャ６１はホルダステイ５２の上に載置される。
さらに、各被案内羽根７４ａ側の下端を支持部６３の各ガイド溝６３ａに合わせ、排水栓７１を垂下させると、各被案内羽根７４ａ側が各ガイド溝６３ａおよび円筒部４４ａの周面で案内されて下降し、目皿部６４の各溝６４ａに各被案内羽根７４ａの下端部が受容される。
【００４１】
このように排水栓７１を装着すると、パッキン７３が円筒部４４ａの傾斜面に当接し、図１および図２に示す止水状態に取り付けることができる。
しかし、排水栓７１は、パッキン７３が円筒部４４ａの傾斜面に当接するのみで、他の部分からは浮いた状態となっている。
【００４２】
次に、動作について説明する。
まず、図１および図２に示す止水状態で水槽Ｂに水を貯めると、水位が底ｏの方から上昇してくる。
そして、水位がスイッチケース取付筒体３の位置に到達すると、水はスイッチケース取付筒体３から第２スイッチケース本体２内へ流入し、第２スイッチケース本体２から第１スイッチケース本体１、ゴム管３１、ジョイント８１、第１排水筒本体４１へと流れ、流出円筒部４１ｃから排出される。
【００４３】
このようにスイッチケース取付筒体３に流入する水に毛髪などが含まれていると、毛髪などはヘアーキャッチャ２２で受け止められるので、後で取り除くことができる。
また、水槽Ｂに貯めた水を排水する場合は、図１に示す操作ボタン２１を押し込んでロック機構を作動させてロック状態にすると、インナワイヤ１１がアウタワイヤ１２に案内されて所定距離前進し、ピン１３も所定距離上昇する。
【００４４】
このようにピン１３が所定距離上昇する過程で、ピン１３が軸部６２に衝合してヘアーキャッチャ６１を持ち上げ、支持部６３がカラー７４に衝合して排水栓７１を持ち上げるので、パッキン７３が円筒部４４ａの傾斜面から離れることにより、排水口が開放され、最終的に図７に示す状態となり、目皿部６４の外周上端は、円筒部４４ａの垂直な周面の上端よりも下側に位置する。
したがって、ヘアーキャッチャ６１は上昇位置でも機能し、水槽Ｂの水は排水孔本体４４内へ流入し、排水孔本体４４から第１排水筒本体４１へと流れ、流出円筒部４１ｃから排出される。
【００４５】
このように排水孔本体４４に流入する水に毛髪などが含まれていると、毛髪などはヘアーキャッチャ６１で受け止められるので、水を排水させた後、排水栓７１を取り外し、支持部６３を摘んでヘアーキャッチャ６１を取り外しことにより、毛髪などを取り除くことができる。
なお、ヘアーキャッチャ６１および排水栓７１の取付は、前述したようにして再度取り付けることができる。
【００４６】
そして、再度操作ボタン２１を押し込んでロック機構を作動させてアンロック状態にすると、インナワイヤ１１がアウタワイヤ１２に案内されて所定距離後退し、ピン１３も所定距離下降するので、ヘアーキャッチャ６１および排水栓７１も下降し、排水栓７１で排水口を閉塞し、図１および図２に示す状態になる。
【００４７】
上述したように、この発明の一実施形態によれば、排水孔本体４４に対してステイリング５１（または支持体）をワンタッチで排水筒から抜けないように取り付けることができるとともに、ステイリング５１に対してホルダステイ５２をワンタッチで取り付けることができる。
そして、ホルダステイ５２を平面形状でＩ字状に形成してステイリング５１に取り付けたので、ホルダステイ５２の両側に充分な流路を確保することができ、良好な排水性を確保することができる。
【００４８】
また、排水孔本体４４に対してステイリング５１（または支持体）を回転できるように構成したので、水槽Ｂの厚さに関係なくホルダステイ５２の長手方向を排水口の中心線と直交するアウタワイヤ１２の水平方向へ向かせることができ、インナワイヤ１１およびアウタワイヤ１２が直線上に戻ろうとする反力によってホルダステイ５２が排水孔本体４４に対して傾かなくなるため、ピン１３を介して排水栓７１を排水口の中心線方向へ上下動させて排水口を確実な止水状態にして止水性を確保することができる。
【００４９】
さらに、ステイリング５１（または支持体）を排水筒内で排水口の円周方向へ回転できない構成にしたので、経時変化によってステイリング５１（または支持体）が回転せず、ホルダステイ５２の長手方向は排水口の中心線と直交するアウタワイヤ１２の水平方向へ向いたままであるため、取付時に調整した止水性を維持することができる。
そして、アウトワイヤ１２の端を支持した支持体またはホルダステイ５２を、排水孔本体４４に取り付ける構成にしたので、排水口からピン１３までの長さを一定にすることができるため、排水口に対する排水栓７１の止水位置と排水位置とを所期の位置に調整することなく設定することができる。
【００５０】
上記した実施形態は、請求項２に対応する構成としたものであるが、ステイリング５１とホルダステイ５２とを一部品に構成すると、請求項１に対応する構成となり、また、ホルダステイ５２を排水孔本体４４に直接取り付けると、他の構成になり、対応した効果を同様に得ることができる。
そして、請求項１の構成の場合、ガイド部４１ｇ、係合凹部５１ｇおよび係合部５１ｕを省いてもよい。
【００５１】
また、請求項１の構成の場合、支持体は排水孔本体４４に対して回転できなくてもよいので、排水孔本体４４に設ける係止部と、支持体に設ける係合爪５１ｎは他の態様であってもよい。
【００５２】
そして、請求項２の構成の場合、ステイリング５１に対してホルダステイ５２が円周方向へ回転しなければよいので、他の取付方であってもよい。
なお、洗面台の排水栓装置の例で説明したが、遠隔操作で排水栓を上下動させる浴槽などの他のものにも適用できることは言うまでもない。
【００５３】
【発明の効果】
以上のように、請求項１の発明によれば、排水孔本体に対して支持体をワンタッチで排水筒から抜けないように取り付けることができる。
そして、アウトワイヤの端を支持した支持体を、排水孔本体に取り付ける構成にしたので、排水口からピンまでの長さを一定にすることができるため、排水口に対する排水栓の止水位置と排水位置とを所期の位置に調整することなく設定することができる。
【００５６】
次に、請求項２の発明によれば、請求項１と同様な効果の他、支持体を排水筒内で排水口の円周方向へ回転できない構成にしたので、経時変化によって支持体が回転せず、ホルダの長手方向は排水口の中心線と直交するアウタワイヤの水平方向へ向いたままであるため、取付時に調整した止水性を維持することができる。
【図面の簡単な説明】
【図１】この発明の一実施形態である排水栓装置を水槽に取り付けて止水状態にした説明図である。
【図２】図１に示した排水栓装置の部分断面図である。
【図３】（ａ），（ｂ），（ｃ）は図２に示したステイリングの左半分を断面にした正面図、平面図、および（ｂ）のＡ−Ａ線による断面図である。
【図４】（ａ），（ｂ），（ｃ）は図２に示したホルダステイの右半分を断面にした正面図、平面図、および右半分を断面にした右側面図である。
【図５】（ａ），（ｂ）は図２に示したヘアーキャッチャの正面図および平面図である。
【図６】（ａ），（ｂ）は図２に示した排水栓の正面図および底面図である。
【図７】操作部を操作して排水口を開放させた排水状態の説明図である。
【符号の説明】
Ｂ      水槽
ｏ      底
１      第１スイッチケース本体
２      第２スイッチケース本体
３      スイッチケース取付筒体
１１    インナワイヤ
１２    アウタワイヤ
１３    ピン
２１    操作ボタン
２２    ヘアーキャッチ
３１    ゴム管
３２    クリップ
４１    第１排水筒本体
４１ｇ  ガイド部
４２    第２排水筒本体
４３    Ｏリング
４４    排水孔本体
４４ａ  円筒部
４４ｓ  段部
４４ｂ  フランジ部
５１    ステイリング
５１ａ  円筒部
５１ｎ  係合爪
５１ｄ  位置決め凹部
５１ｈ  係止孔
５１ｇ  係合凹部
５１ｕ  係合部
５２    ホルダステイ
５２ａ  貫通孔
５２ｂ  当接部
５２ｃ  保持爪
５２ｄ  係止爪
６１    ヘアーキャッチャ
７１    排水栓
８１    ジョイント
８２    ジョイントナット
８４    Ｏリング
９１    取付部材
【図１】
0003874890.tif 000002
【図２】
0003874890.tif 000003
【図３】
0003874890.tif 000004
【図４】
0003874890.tif 000005
【図５】
0003874890.tif 000006
【図６】
0003874890.tif 000007
【図７】
0003874890.tif 000008